(57)【要約】【課題】犬などを飼っていたりして、室内または屋外が騒がしい場合でも、通話をしながら、適切に受話レベルと送話レベルを設定して、その使用環境や時間に応じて、適切な音声レベルで通話をすることができるテレビインターホン装置を提供する。【解決手段】モニタ親機２００は、玄関子機１００への送話レベルを設定する送話音量設定回路２１４と、玄関子機からの受話レベルを設定する受話音量設定回路２１５と、音量設定ボタン２０５、「＋」ボタン２０６と「−」ボタン２０７を備え、玄関子機とモニタ親機が通話中に、音量設定ボタン２０５で、「送話音量設定」モードと、「受話音量設定」モードを選択し、その後、「＋」ボタン２０６と「−」ボタン２０７を押すことにより、送話音量設定回路２１４と受話音量設定回路２１５を制御して、送話音量または受話音量のレベルを設定する。【選択図】図２
2006081064.tif 000002
【特許請求の範囲】
【請求項１】
玄関先に設置される玄関子機と、室内に設置されるモニタ親機とを２線式伝送線路にて接続し、前記玄関子機から前記モニタ親機を呼び出したとき、前記玄関子機内のテレビカメラにて撮像される映像を、前記モニタ親機の表示部に映し出し、前記モニタ親機の通話ボタンを押したとき、前記玄関子機と前記モニタ親機との通話ができるテレビインターホン装置において、前記モニタ親機は、前記玄関子機への送話レベルを設定する送話音量設定回路と、前記玄関子機からの受話レベルを設定する受話音量設定回路と、前記玄関子機と通話中に、前記モニタ親機のボタンを操作することにより、送話音量または受話音量のレベルを設定する制御手段を有することを特徴とするテレビインターホン装置。
【請求項２】
前記モニタ親機は、音量設定中は、「送話音量」または「受話音量」と、その音量レベルを前記モニタ親機の映像表示部に表示する制御を行うものであることを特徴とする請求項１に記載のテレビインターホン装置。
【請求項３】
前記玄関子機に照度センサを備え、屋外の照度によって、前記モニタ親機から、前記玄関子機への送話音量を変えるように設定可能とした請求項１に記載のテレビインターホン装置。
【請求項４】
前記モニタ親機に時計を内蔵し、所定の時間、前記モニタ親機から前記玄関子機への送話音量を自動的に変えるように設定可能とした請求項１に記載のテレビインターホン装置。
【請求項５】
前記玄関子機の照度センサの出力と、前記モニタ親機の時計情報から、夜間に前記モニタ親機から前記玄関子機への送話音量を自動的に変えるように設定可能とした請求項１に記載のテレビインターホン装置。
【発明の詳細な説明】
【技術分野】
【０００１】
本発明は、屋外に設置される玄関子機と屋内に設置されるモニタ親機とから成るテレビインターホン装置に関し、特に送話音量設定回路と受話音量設定回路を備え、その制御に特徴を有するテレビインターホン装置に関するものである。
【背景技術】
【０００２】
玄関先に設置された玄関子機と、室内のモニタ親機との間で、送受話の自動切換えが行われるハンズフリー通話が実現されている。これは、予め、送話音量設定回路２１４と受話音量設定回路２１５を各々調整しておくことにより、送話レベルと受話レベルを、最適値に調整しておくことができるようになっている。（例えば、特許文献１参照。）
また、テレビインターホン装置において、玄関子機とモニタ親機の通話中、モニタ親機の通話ボタンを押し続けることにより、強制的に、モニタ親機からの送話状態にするとともに、送話レベル設定回路を制御して、送話アンプの増幅度を大きくし玄関子機への送話音を大きくするようになっている。（例えば、特許文献２参照。）
【特許文献１】実開平７−２０７７４号公報
【特許文献２】特開２００３−１８９００１号公報
【発明の開示】
【発明が解決しようとする課題】
【０００３】
しかしながら、従来の特許文献１のような構成では、予め、調整スイッチで、玄関子機からの受話レベルと送話レベルを調整しておく必要があるので、犬などを飼っていたりして、室内や屋外が騒がしい場合でも、玄関子機とモニタ親機が通話中は、レベルを調整できず、また、現在の設定レベルが確認できないという課題を有していた。
【０００４】
また、従来の特許文献２のような構成では、強制的に、モニタ親機からの送話状態にしたときは、玄関子機への送話音が必ず大きくなるので、夜間は、近隣の迷惑になる場合があり、また、通常通話の状態では、レベル設定ができないという課題を有していた。
【０００５】
本発明は、前記従来の課題を解決するもので、玄関子機とモニタ親機が通話中に、玄関子機からの受話レベルとモニタ親機からの送話レベルをそれぞれ設定でき、また、現在の設定レベルを画面で確認できるテレビインターホン装置を提供することを目的とする。
【課題を解決するための手段】
【０００６】
前記従来の課題を解決するために、本発明のテレビインターホン装置は、玄関先に設置される玄関子機と、室内に設置されるモニタ親機とを伝送線路にて接続し、玄関子機からモニタ親機を呼び出したとき、前記玄関子機内のカメラにて撮像される映像を、前記モニタ親機の表示部に映し出し、モニタ親機の通話ボタンを押したとき、玄関子機とモニタ親機との通話ができるテレビインターホン装置において、前記モニタ親機は、玄関子機への送話レベルを設定する送話音量設定回路と、玄関子機からの受話レベルを設定する受話音量設定回路と、玄関子機と通話中に、モニタ親機のボタンを押すことにより、送話音量または受話音量のレベルを設定する制御手段を有することを特徴としたものである。
【０００７】
また、前記テレビインターホン装置において、前記モニタ親機は、音量設定中は、「送話音量」または「受話音量」と、その音量レベルを前記モニタ親機の映像表示部に表示する制御を行うものであることを特徴としたものである。
【０００８】
また、前記テレビインターホン装置において、前記モニタ親機は、前記玄関子機に内蔵した照度センサにより、屋外の照度を検知し、屋外の照度によって、前記モニタ親機から前記玄関子機への送話音量を変えるように設定可能としたことを特徴としたものである。
【０００９】
さらに、前記テレビインターホン装置において、前記モニタ親機は、前記モニタ親機に内蔵した時計により、所定の時間、前記モニタ親機から前記玄関子機への送話音量を自動的に変えるように設定可能としたことを特徴としたものである。また照度と時計を組み合わせて判断することで自動的に夜間の送話音量を小さくすることを特徴としたものである。
【発明の効果】
【００１０】
本発明のテレビインターホン装置によれば、玄関子機とモニタ親機が通話中に、玄関子機からの受話レベルとモニタ親機からの送話レベルをそれぞれ設定でき、また、現在の設定レベルを画面で確認することができる。
【発明を実施するための最良の形態】
【００１１】
以下に、本発明のテレビインターホン装置の実施の形態を図面とともに詳細に説明する。
【００１２】
(実施例１)
図１は、本発明の第１の実施例におけるテレビインターホン装置の外観図を示す。
図１において、玄関先に設置された玄関子機１００と、モニタ親機２００は、２線式伝送線路３００によって接続されている。
玄関子機１００には、来客が操作する呼出ボタン１０４と、玄関子機周辺の映像を撮影する為のテレビカメラ１０１と、玄関子機の音声をモニタ親機へ送るための子機マイク１０２、モニタ親機の音声を玄関子機に出力する為の子機スピーカ１０３とを備えている。
【００１３】
一方のモニタ親機２００には、玄関子機１の映像を出力する映像表示部２０３、モニタ親機からの音声を玄関子機へ送る為の親機マイク２０１、玄関子機からの音声をモニタ親機に出力する為の親機スピーカ２０２、音量設定モードを切り替える音量設定ボタン２０５、音量を大きくする「＋」ボタン２０６、音量を小さくする「−」ボタン２０７とを備えている。
【００１４】
また、図２は、本発明の第１の実施例におけるテレビインターホン装置のブロック図を示す。玄関先に設置された玄関子機１００と、モニタ親機２００は、２線式伝送線路３００によって接続されている。
【００１５】
玄関子機１００には、来客が操作する呼出ボタン１０４と、屋外の照度を検知する照度センサー１１２と、呼出ボタンの信号と照度センサーの信号とを処理する子機信号処理部１１０と、玄関子機周辺の映像を撮影する為のカメラ制御部１０５と、玄関子機の音声をモニタ親機へ送るための子機マイク１０２、子機送話アンプ１０７、モニタ親機の音声を玄関子機に出力する為の子機スピーカ１０３、子機受話アンプ１０８、玄関子機からの音声とモニタ親機からの音声を変換する２線４線変換部１０６、各信号を多重化して前記２線式伝送線路に送受する多重化回路１０９、玄関子機の各部へ電源を供給する子機電源回路１１１とを備えている。
【００１６】
一方のモニタ親機２００には、各部の処理制御を行う親機信号処理部２０８と、モニタ親機の各部と２線式伝送線路を通して玄関子機１００に電源を供給する電源制御部２５０と、室内の交流電源に接続する電源コンセント２５１と、玄関子機１の映像を出力するモニタテレビ制御部２０９と、玄関子機１００からの音声とモニタ親機からの音声を変換する２線４線変換部２１０、モニタ親機からの音声を玄関子機へ送る為の親機マイク２０１、親機送話アンプ２１２、玄関子機からの音声をモニタ親機に出力する為の親機受話アンプ２１３、親機スピーカ２０２、玄関子機からの音声とモニタ親機からの音声を比較し、レベルが大きい方に自動的に切り替える送受話自動交互切替回路２１６、モニタ親機から玄関子機への送話レベルを調整する送話音量設定回路２１４、玄関子機からモニタ親機への受話レベルを調整する受話音量設定回路２１５、各信号を多重化して前記２線式伝送線路に送受する多重化回路２１１、玄関子機からの呼出を検出する呼出検出回路２１７、玄関子機からの呼出に応答する為の通話ボタン２０４、音量設定のモードを選択する音量設定ボタン２０５、音量を大きくする「＋」ボタン２０６、音量を小さくする「−」ボタン２０７、時刻をカウントする内蔵時計回路２３０とを備えている。
【００１７】
このように構成されたテレビインターホン装置において、来訪者が、玄関子機１００の呼出ボタン１０４を押すと、モニタ親機２００の呼出検出回路２１７が、玄関子機の呼出を検出し、呼出音をモニタ親機と玄関子機から出力するとともに、モニタテレビ制御部２０９に電源制御部２５０からの電源を供給して、玄関子機からの映像を、モニタ親機に表示する。
【００１８】
その後、モニタ親機２の通話ボタン２０４を押して応答すると、親機信号処理部２０８は、子機電源供給回路２１８、２線４線変換部２１０、送受話自動交互切替回路２１６、親機送話アンプ２１２、親機受話アンプ２１３をそれぞれ能動とする。
【００１９】
子機電源供給回路２１８が能動になると、玄関子機の子機電源回路１１１が能動となり、子機送話アンプ１０７、子機受話アンプ１０８、玄関子機からの音声とモニタ親機からの音声を変換する２線４線変換部１０６が、それぞれ能動となり、玄関子機１００とモニタ親機２００との通話が成立する。このとき、送受話自動交互切替回路２１６において、予め設定された閾値で、モニタ親機２００側の送話レベルと受話レベルが比較され、送受話の自動切換えを行い、ハンズフリー通話を実現させている。
【００２０】
図３は、本発明の実施例１におけるテレビインターホン装置のモニタ親機のボタン操作とモニタ親機の動作を示すフローチャートである。
【００２１】
図３において、玄関子機とモニタ親機の通話中に、モニタ親機の音量設定ボタンを押すと、ステップＳ１０で、押し下げを検知し、ステップＳ２０において、画面表示部に「受話音量」の文字と、受話レベルバーを表示し、受話音量選択モードになる。
【００２２】
その後、モニタ親機の音量設定ボタンを押すと、ステップＳ２１で、押し下げを検知し、画面表示部に「送話音量」の文字と、送話レベルバーを表示し、送話音量選択モードになる。
【００２３】
その後、さらに、モニタ親機の音量設定ボタンを押すと、ステップＳ５１で、押し下げを検知し、ステップＳ２０の受話音量選択モードに戻る。
【００２４】
ステップＳ２０の受話音量選択モードにおいて、「＋」ボタンを押すと、ステップＳ２２で、押し下げを検知し、ステップＳ２４において、受話レベルを１段階大きくし、受話レベルバーの表示も、１段階大きくする。ここで、受話音量設定モードになり、受話音量を設定できるようになる。また、ステップＳ２０において、「−」ボタンを押した場合は、ステップＳ２３で、押し下げを検知し、ステップＳ２５において、受話レベルを１段階小さくし、受話レベルバーの表示も、１段階小さくし、受話音量設定モードになり、受話音量を設定できるようになる。
【００２５】
受話音量設定モードにおいて、「＋」ボタンを押すと、ステップＳ３１で、押し下げを検知し、ステップＳ３４において、受話レベルを１段階大きくし、受話レベルバーの表示も、１段階大きくする。また、「−」ボタンを押した場合は、ステップＳ３２で、押し下げを検知し、ステップＳ３５において、受話レベルを１段階小さくし、受話レベルバーの表示も、１段階小さくする。ここで、音量設定ボタンを押すと、ステップＳ３３で、押し下げを検知し、ステップＳ３６において、「受話音量」の文字と受話レベルバーを消去し、通常のカメラ映像に戻り、受話音量設定モードを終了する。
【００２６】
一方、ステップＳ５０の送話音量選択モードにおいて、「＋」ボタンを押すと、ステップＳ５２で、押し下げを検知し、ステップＳ５４において、送話レベルを１段階大きくし、送話レベルバーの表示も、１段階大きくする。ここで、送話音量設定モードになり、送話音量を設定できるようになる。また、ステップＳ５０において、「−」ボタンを押した場合は、ステップＳ５３で、押し下げを検知し、ステップＳ５５において、送話レベルを１段階小さくし、送話レベルバーの表示も、１段階小さくし、送話音量設定モードになり、送話音量を設定できるようになる。
【００２７】
送話音量設定モードにおいて、「＋」ボタンを押すと、ステップＳ６１で、押し下げを検知し、ステップＳ６４において、送話レベルを１段階大きくし、送話レベルバーの表示も、１段階大きくする。また、「−」ボタンを押した場合は、ステップＳ６２で、押し下げを検知し、ステップＳ６５において、送話レベルを１段階小さくし、送話レベルバーの表示も、１段階小さくする。ここで、音量設定ボタンを押すと、ステップＳ６３で、押し下げを検知し、ステップＳ６６において、「送話音量」の文字と送話レベルバーを消去し、通常のカメラ映像に戻り、送話音量設定モードを終了する。
【００２８】
また、図２において、玄関子機１００は、照度センサー１１２を内蔵しており、夜間になり、照度が低下すると、照度センサー１１２が信号を出力する。その信号を子機信号処理部１１０が多重化回路１０９を通してモニタ親機２００に信号を出力する。モニタ親機２００の呼出検出回路２１７において、玄関子機の呼出とは異なる電圧を検出し、親機信号処理部２０８に知らせる。この状態が数分間継続した後に、玄関子機とモニタ親機が通話をしたときは、音量設定ボタンを操作しなくても、モニタ親機から玄関子機への送話レベルは親機信号処理部２０８が自動的に小さく設定する。
【００２９】
一方、夜間でも騒がしい場所もある為、メニュー設定で、前記の動作を無効にすることもできる。
【００３０】
また、屋外に照明があり、夜間でも明るい場所では、図２の内蔵時計回路２３０を利用して、夜間の時間帯に、玄関子機とモニタ親機が通話をしたときは、音量設定ボタンを操作しなくても、モニタ親機から玄関子機への送話レベルは親機信号処理部２０８が自動的に小さく設定するようにしておくこともできる。
【００３１】
以上のように、本実施例１においては、玄関子機とモニタ親機との通話中に、モニタ親機のボタン操作で、モニタ親機の送話レベルと受話レベルを設定できるような構成にすることにより、実際に、通話をしながら、玄関子機からの受話音量と、玄関子機への送話音量をそれぞれ独立して設定でき、犬などを飼っていたりして、室内または屋外が騒がしい場合でも、適切に受話レベルと送話レベルを設定して、その使用環境や時間に応じて、適切な音声レベルで通話をすることができる。
【００３２】
また、玄関子機に照度センサーを内蔵したり、モニタ親機に内蔵時計回路を設けることにより、夜間は、自動的に玄関子機への送話レベルを小さくし、近隣に迷惑がかからないようにすることができる。
【産業上の利用可能性】
【００３３】
本発明にかかるテレビインターホン装置は、室内または屋外が騒がしい場合や夜間においても、適切に受話レベルと送話レベルを設定して、その使用環境や時間に応じて、適切な音声レベルで通話をすることができ、屋外に設置される玄関子機と屋内に設置されるモニタ親機とから成るテレビインターホン装置として有用である。
【図面の簡単な説明】
【００３４】
【図１】本発明の実施例１におけるテレビインターホン装置の外観図
【図２】本発明の実施例１におけるテレビインターホン装置のブロック図
【図３】本発明の実施例１におけるテレビインターホン装置のモニタ親機のボタン操作とモニタ親機の動作を示すフローチャート
【符号の説明】
【００３５】
１００  玄関子機
１０１  テレビカメラ
１０２  子機マイク
１０３  子機スピーカ
１０４  呼出ボタン
１０５  カメラ制御部
１０６  ２線４線変換部
１０７  子機送話アンプ
１０８  子機受話アンプ
１０９  多重化回路
１１０  子機信号処理部
１１１  子機電源回路
１１２  照度センサー
２００  モニタ親機
２０１  親機マイク
２０２  親機スピーカ
２０３  映像表示部
２０４  通話ボタン
２０５  音量設定ボタン
２０６  「＋」ボタン
２０７  「−」ボタン
２０８  親機信号処理部
２０９  モニタテレビ制御部
２１０  ２線４線変換部
２１１  多重化回路
２１２  親機送話アンプ
２１３  親機受話アンプ
２１４  送話音量設定回路
２１５  受話音量設定回路
２１６  送受話自動交互切替回路
２１７  呼出検出回路
２１８  子機電源供給回路
２３０  内蔵時計回路
２５０  電源制御部
２５１  電源コンセント
３００  ２線式伝送線路                                                                  
【図１】
2006081064.tif 000003
【図２】
2006081064.tif 000004
【図３】
2006081064.tif 000005